(57)【要約】【課題】  通話の前後を問わず、かつ必要なときに限りメモ帳を迅速に起動することができる携帯電話を提供する。【解決手段】  表示部６は、携帯電話の画面を表示する。タブレット５は、表示部６と一体形成される。メモ帳機能部９は、ユーザによるタブレット５へのメモの入力を受付けて、入力されたメモを表わす画像データを表示部６に表示する。メモ帳起動部３は、通話中または待機中に、ユーザによるタブレット５へのメモの入力の開始動作がなされたことを判定したときに、メモ帳機能部９を起動する。【選択図】        図１
2006279704.tif 000002
【特許請求の範囲】
【請求項１】
画面を表示するための表示部と、
前記表示部と一体形成されたタブレットと、
ユーザによる前記タブレットへのメモの入力を受付けて、前記入力されたメモを表わす画像データを前記表示部に表示するメモ帳機能部と、
通話中または待機中に、ユーザによる前記タブレットへのメモの入力の開始動作がなされたことを判定したときに、前記メモ帳機能部を起動するメモ帳起動部とを備えた携帯電話。
【請求項２】
前記タブレットは、入力ペンの位置を電磁誘導方式または超音波方式で検出し、
前記メモ帳起動部は、通話中または待機中に、前記タブレットへの前記入力ペンの近接を検出したときに、前記メモの入力の開始動作がなされたと判定して、前記メモ帳機能部を起動する、請求項１記載の携帯電話。
【請求項３】
前記タブレットは、入力ペンまたはユーザの指の位置を感圧方式で検出し、
前記メモ帳起動部は、前記タブレットに所定の文字、図形および記号の少なくともいずれかが入力されたことを検出したときに、前記メモの入力の開始動作がなされたと判定して、前記メモ帳機能部を起動する、請求項１記載の携帯電話。
【発明の詳細な説明】
【技術分野】
【０００１】
本発明は、携帯電話に関し、特にメモ帳の機能を有する携帯電話に関する。
【背景技術】
【０００２】
従来から、メモ帳の機能を有する携帯電話が提案されている。メモ帳の機能を利用することによって、ユーザは、通話中に通話内容をその場でメモすることができる。
【０００３】
ところで、メモ帳の起動を簡便にした方法が提案されている。たとえば、特許文献１では、手動で受話器をとることで、受話器の通話開始操作検知手段であるフック検知部３によりメモ入力部の起動部４が働きメモ手帳部２の機能を立ち上がらせる。このことでペン入力装置６により表示部７に即座に入力可能になり、通話終了後は入力された情報が自動的にメモ記憶部８に記憶される。
【特許文献１】特開平８−１５４１１５号公報
【発明の開示】
【発明が解決しようとする課題】
【０００４】
しかしながら、特許文献１のメモ帳の起動方法では、通話開始時に、必ずメモ帳が起動されるので、メモを取る必要のないときでも勝手に起動されると煩わしい。また、メモ帳の起動のための時間が長い場合には、即座に通話内容をメモすることができない。
【０００５】
また、ユーザは、通話時に通話内容をメモするだけでなく、通話していないとき（待受け中）に、思いついたアイデアをメモしたい場合があるが、特許文献１のメモ帳起動方法では、それはできない。
【０００６】
それゆえに、本発明の目的は、通話の前後を問わず、かつ必要なときに限りメモ帳を迅速に起動することができる携帯電話を提供することである。
【課題を解決するための手段】
【０００７】
上記課題を解決するために、本発明の携帯電話は、画面を表示するための表示部と、表示部と一体形成されたタブレットと、ユーザによるタブレットへのメモの入力を受付けて、入力されたメモを表わす画像データを表示部に表示するメモ帳機能部と、通話中または待機中に、ユーザによるタブレットへのメモの入力の開始動作がなされたことを判定したときに、メモ帳機能部を起動する。
【０００８】
好ましくは、タブレットは、入力ペンの位置を電磁誘導方式または超音波方式で検出し、メモ帳起動部は、タブレットへの入力ペンの近接を検出したときに、メモの入力の開始動作がなされたと判定して、メモ帳機能部を起動する。
【０００９】
好ましくは、タブレットは、入力ペンまたはユーザの指の位置を感圧方式で検出し、メモ帳起動部は、タブレットに所定の文字、図形および記号の少なくともいずれかが入力されたことを検出したときに、メモの入力の開始動作がなされたと判定して、メモ帳機能部を起動する。
【発明の効果】
【００１０】
本発明の携帯電話によれば、通話の前後を問わず、かつ必要なときに限りメモ帳を迅速に起動することができる。
【発明を実施するための最良の形態】
【００１１】
以下、本発明の実施の形態について図面を用いて説明する。
【００１２】
［第１の実施形態］
（構成）
図１は、本発明の第１の実施形態に係る携帯電話の機能ブロック図である。
【００１３】
図１を参照して、携帯電話１は、電話機能部２と、メモ帳機能部９と、メモ帳起動部３と、メモ保存部７と、デジタイザ８と、表示部６とを備える。
【００１４】
電話機能部１は、通話などの電話の機能を実行する。
【００１５】
メモ帳機能部９は、携帯電話のアプリケーションの１つであり、起動するとメモ入力画面を表示部６に表示する。メモ帳機能部９は、メモ入力画面内に、デジタイザ８によってユーザが入力したメモを表わす画像データを表示する。
【００１６】
図２（ａ）は、待受け画面の例を表わす図である。
【００１７】
図２（ｂ）は、待受け中にメモ帳機能部９が起動されて、メモ入力画面内に入力されたメモを表わす画像データを表わす図である。
【００１８】
図２（ｂ）に示すように、ユーザは、待受け中に思いついたアイデアをメモすることができる。また、ユーザは、保存メニューを選択することによって、入力されたメモを表わす画像データの保存を指示することができ、終了メニューを選択することによって、メモ帳機能部９を終了することができる。
【００１９】
図３（ａ）は、通話中の画面の例を表わす図である。
【００２０】
図３（ｂ）は、通話中にメモ帳機能部９が起動されて、メモ入力画面内に入力されたメモを表わす画像データを表わす図である。
【００２１】
図３（ｂ）に示すように、ユーザは、通話中に通話内容をメモすることができる。
【００２２】
デジタイザ８は、電磁誘導を利用したもので、入力ペン４およびタブレット５を含む。
【００２３】
入力ペン４は、送信用コイルを備え、送信用コイルから連続的に交流磁界を発生される。
【００２４】
タブレット５は、表示部６の裏面に配置され、表示部６と一体形成されている。タブレット５は、互いに直交する２次元（Ｘ軸、Ｙ軸）方向に、平行に並べられた複数の長方形アンテナコイルを有する。電子ペンが最も近いアンテナコイルからは最も強い信号が検出され、それに隣接するアンテナコイルからは比較的弱い信号が検出されるので、入力ペン４の２次元（Ｘ軸、Ｙ軸）位置を検出することができる。
【００２５】
表示部６は、液晶ディスプレイであり、メモ入力画面などを表示する。
【００２６】
メモ保存部７は、ユーザが、メモ帳機能部９のメモ入力画面に入力したメモを表わす画像データを保存する。
【００２７】
メモ帳起動部３は、メモ帳機能部９が起動されていないときに、タブレット５への入力ペン４の近接を検出したとき（すなわち、タブレット５のアンテナコイルが入力ペン４が発生した磁界を検出したとき）、ユーザによるタブレット５へのメモの入力の開始動作がなされたと判定して、メモ帳機能部９を起動する。
【００２８】
（動作）
図４は、本発明の第１の実施形態に係る携帯電話のメモ帳機能の動作手順を表わすフローチャートである。
【００２９】
メモ帳起動部３は、メモ帳機能部９が起動されていないときに（ステップＳ１０１でＹＥＳ）、タブレット５への入力ペン４の近接を検出したときに（ステップＳ１０２でＹＥＳ）、メモ帳機能部９を起動する（ステップＳ１０３）。
【００３０】
メモ帳機能部９は、タブレット５のメモ入力画面内への入力ペン４による入力を検出すると、検出した入力に基づいて、メモを表わす画像データを表示部６のメモ入力画面に表示する（ステップＳ１０４）。
【００３１】
メモ帳機能部９は、保存が指示されたときには（ステップＳ１０５でＹＥＳ）、メモを表わす画像データをメモ保存部７に保存する（ステップＳ１０６）。
【００３２】
メモ帳機能部９は、終了が指示されたときには（ステップＳ１０７でＹＥＳ）、終了する。
【００３３】
以上のように、第１の実施形態の携帯電話によれば、メモ帳起動部３が、タブレット５への入力ペン４の近接を検出したときに、ユーザによるタブレット５へのメモの入力の開始動作がなされたと判定して、メモ帳機能部９を起動するので、通話の前後を問わず、かつ必要なときに限りメモ帳を迅速に起動することができる。
【００３４】
［第１の実施形態の変形例］
第１の実施形態では、電磁誘導方式のデジタイザを用いたが、これに限定するものではない。たとえば超音波方式のデジタイザを用いてもよい。超音波方式のデジタイザでは、２箇所に配置された超音波センサが電子ペンから発信された超音波を検出する。２箇所の超音波センサでの超音波を検出した時刻を用いて三角測量によって電子ペンの位置を知ることができる。
【００３５】
［第２の実施形態］
（構成）
図５は、本発明の第２の実施形態に係る携帯電話の機能ブロック図である。
【００３６】
図５を参照して、この携帯電話１１が、図１に示す第１の実施形態の携帯電話１と相違する点は、デジタイザ１８の構成と、メモ帳起動部１３の機能である。
【００３７】
デジタイザ１８は、タブレット１５を含み、タブレット１５は、入力ペンまたはユーザの指の位置を感圧方式で検出する。
【００３８】
メモ帳起動部１３は、メモ帳機能部９が起動されていないときに、タブレット１５に所定の文字、図形および記号の少なくともいずれかが入力されことを検出したときに、ユーザによるタブレット１５へのメモの入力の開始動作がなされたと判定して、メモ帳機能部９を起動する。
【００３９】
図６（ａ）は、メモの入力開始動作がなされたと判定される文字の入力の例を表わす図である。
【００４０】
図６（ａ）に示すように、“メ”の文字の入力によって、ユーザによるタブレット１５へのメモの入力の開示動作がなされたと判定される。
【００４１】
図６（ｂ）は、メモの入力開始動作がなされたと判定される図形の入力の例を表わす図である。
【００４２】
図６（ｂ）に示すように、“△”の図形の入力によって、ユーザによるタブレット１５へのメモの入力の開示動作がなされたと判定される。
【００４３】
図６（ｃ）は、メモの入力開始動作がなされたと判定される記号の入力の例を表わす図である。
【００４４】
図６（ｃ）に示すように、チェックを表わす記号の入力によって、ユーザによるタブレット１５へのメモの入力の開示動作がなされたと判定される。
【００４５】
（動作）
図７は、本発明の第２の実施形態に係る携帯電話のメモ帳機能の動作手順を表わすフローチャートである。
【００４６】
図７を参照して、メモ帳起動部１３は、メモ帳機能部９が起動されていないときに（ステップＳ１０１でＹＥＳ）、タブレット１５へ所定の文字、図形および記号の少なくともいずれかが入力されたことを検出したときに（ステップＳ２０２でＹＥＳ）、メモ帳機能部９を起動する（ステップＳ１０３）。
【００４７】
メモ帳機能部９は、タブレット１５のメモ入力画面内への入力ペンまたはユーザの指による入力を検出すると、検出した入力に基づいて、メモを表わす画像データを表示部６のメモ入力画面に表示する（ステップＳ１０４）。
【００４８】
メモ帳機能部９は、保存が指示されたときには（ステップＳ１０５でＹＥＳ）、メモを表わす画像データをメモ保存部７に保存する（ステップＳ１０６）。
【００４９】
メモ帳機能部９は、終了が指示されたときには（ステップＳ１０７でＹＥＳ）、終了する。
【００５０】
以上のように、第２の実施形態の携帯電話によれば、メモ帳起動部１３が、タブレット１５に所定の文字、図形および記号の少なくともいずれかが入力されことを検出したときに、ユーザによるタブレット１５へのメモの入力の開始動作がなされたと判定して、メモ帳機能部９を起動するので、通話の前後を問わず、かつ必要なときに限りメモ帳を迅速に起動することができる。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】本発明の第１の実施形態に係る携帯電話の機能ブロック図である。
【図２】（ａ）は、待受け画面の例を表わす図であり、（ｂ）は、待受け中にメモ帳機能部９が起動されて、メモ入力画面内に入力されたメモを表わす画像データを表わす図である。
【図３】（ａ）は、通話中の画面の例を表わす図であり、（ｂ）は、通話中にメモ帳機能部９が起動されて、メモ入力画面内に入力されたメモを表わす画像データを表わす図である。
【図４】本発明の第１の実施形態に係る携帯電話のメモ帳機能の動作手順を表わすフローチャートである。
【図５】本発明の第２の実施形態に係る携帯電話の機能ブロック図である。
【図６】（ａ）は、メモの入力開始動作がなされたと判定される文字の入力の例を表わす図であり、（ｂ）は、メモの入力開始動作がなされたと判定される図形の入力の例を表わす図であり、（ｃ）は、メモの入力開始動作がなされたと判定される記号の入力の例を表わす図である。
【図７】本発明の第２の実施形態に係る携帯電話のメモ帳機能の動作手順を表わすフローチャートである。
【符号の説明】
【００５３】
１，１１  携帯電話、２  電話機能部、３，１３  メモ帳起動部、４  入力ペン、５，１５  タブレット、６  表示部、７  メモ保存部、８，１８  デジタイザ、９  メモ帳機能部。
【図１】
2006279704.tif 000003
【図２】
2006279704.tif 000004
【図３】
2006279704.tif 000005
【図４】
2006279704.tif 000006
【図５】
2006279704.tif 000007
【図６】
2006279704.tif 000008
【図７】
2006279704.tif 000009